(57)【要約】      （修正有）【課題】良好な操作性を維持しつつ、高級感を漂わせることができるスマートフォン用ケースを提供する。【解決手段】スマートフォン用ケース１０は、スマートフォンを収容する凹部がおもて面側に形成されたケース本体１１と、ケース本体１１の凹部とは反対の裏面側１１ｎに設けられた装飾板１２とを備えている。装飾板１２は、皮革シートにより形成されている。【選択図】図２
0003218492.tif 000002
【実用新案登録請求の範囲】
【請求項１】
スマートフォンを収容する凹部がおもて面側に形成されたケース本体と、前記ケース本体の前記凹部とは反対の裏面側に設けられた装飾板とを備え、
前記装飾板は、皮革シートにより形成されたスマートフォン用ケース。
【請求項２】
前記皮革シートの周縁部は、厚みが徐々に薄くなり、前記ケース本体の底面と接続する請求項１記載のスマートフォン用ケース。
【請求項３】
前記ケース本体は、前記スマートフォンの周囲面を囲う周壁面が外側に膨らむ円弧面に形成され、
前記皮革シートの周縁部は、前記ケース本体の周壁面の円弧面から連続する傾斜面に形成された請求項１または２記載のスマートフォン用ケース。
【考案の詳細な説明】
【技術分野】
【０００１】
本考案は、スマートフォンを保護するために、スマートフォンを収容する凹部が形成されたスマートフォン用ケースに関するものである。
【背景技術】
【０００２】
スマートフォンは、その薄さから、スマートフォン用ケースに装着された状態で、上着のポケットや、ズボンのポケット、カバンに入れて、携帯されることがある。
そして、スマートフォンにて電話するときには、スマートフォン側を耳に当てると、スマートフォン用ケースの裏面が、スマートフォンの使用者から外側を向く。
通話の際にスマートフォン用ケースの裏面が、スマートフォンの使用者から外側を向くことから、装飾を施したスマートフォン用ケースが知られている（例えば、特許文献１参照。）。
【０００３】
特許文献１に記載のスマートフォンカバーは、スマートフォンを覆う本体と、この本体のスマートフォンの裏面を覆う部分に貼着され、この貼着面と反対側の面に画像を印刷した印刷部が形成されたカバー体とを有するものである。
【０００４】
また、ケースが皮革により形成された携帯機器用ケースが知られている（例えば、特許文献２参照。）
特許文献２に記載の携帯機器用ケースは、二つ折りにしたときに表面を形成する革製の表面部と、二つ折りにしたときに裏面を形成する革製の裏面部と、表面部と裏面部とを連結し、二つ折りにするときに屈曲する革製の中央折り曲げ部とを有し、表面部は、一部の端部が略９０度折り曲げられた差し込み部材を備え、裏面部は、一部の端部が略９０度折り曲げられた支持部材を備え、二つ折りにしたときに、差し込み部材を支持部材に嵌合して、携帯機器を保持する、というものである。
【先行技術文献】
【特許文献】
【０００５】
【特許文献１】実用新案登録第３１８３０９３号公報
【特許文献２】実用新案登録第３２０４１１３号公報
【考案の概要】
【考案が解決しようとする課題】
【０００６】
しかし、特許文献１に記載のスマートフォンカバーは、スマートフォンの前面が露出しているため、ポケットやカバン、袋等から取り出せば、スマートフォンのタッチスクリーンの操作がすぐにできるため、操作性が良好であるが、印刷部の印刷内容によっては若者には受け入れられても中高年者には受け入れ難くなってしまうおそれがある。
【０００７】
また、特許文献２に記載の携帯機器用ケースでは、ケースの表面部と裏面部とが革製であるため、高級感を漂わせることができるが、スマートフォンを操作するときには表面部を裏面部から取り外す必要があり、スマートフォンを操作するときに面倒である。
【０００８】
そこで本考案は、良好な操作性を維持しつつ、高級感を漂わせることができるスマートフォン用ケースを提供することを目的とする。
【課題を解決するための手段】
【０００９】
本考案のスマートフォン用ケースは、スマートフォンを収容する凹部がおもて面側に形成されたケース本体と、前記ケース本体の前記凹部とは反対の裏面側に設けられた装飾板とを備え、前記装飾板は、皮革シートにより形成されたことを特徴とする。
【００１０】
本考案のスマートフォン用ケースによれば、ケース本体のおもて面側にスマートフォンを収容する凹部が形成されているため、凹部にスマートフォンを収納すると、スマートフォンのタッチスクリーンがおもて面側に露出する。従って、ポケットやカバン、袋等から取り出せば、スマートフォンのタッチスクリーンの操作がすぐにできるため、操作性が良好である。
また、使用者がスマートフォンを持って電話するときに、スマートフォンのタッチスクリーン側を耳に当てると、ケース本体の裏面側が外側を向き、皮革シートにより形成された装飾板が他の者から見えるので、落ち着いた雰囲気を醸成することができる。
【００１１】
前記皮革シートの周縁部は、徐々に薄くなり、前記ケース本体の底面と接続するようにすることができる。皮革シートとケース本体の底面との段差がなくなり、手触りを良好なものとすることができる。
【００１２】
前記ケース本体は、前記スマートフォンの周囲面を囲う周壁面が外側に膨らむ円弧面に形成され、前記皮革シートの周縁部は、前記ケース本体の周壁面の円弧面から連続する傾斜面に形成されたものとすることができる。そうすることで、意匠性を向上させることができ、周壁面と皮革シートとの間を滑らかに指を移動させることができる。
【考案の効果】
【００１３】
本考案のスマートフォン用ケースによれば、スマートフォンのタッチスクリーンの操作がすぐにでき、電話を掛けるときに外側を向くケース本体の裏面側が皮革シートにより形成されているため、良好な操作性を維持しつつ、高級感を漂わせることができる。
【図面の簡単な説明】
【００１４】
【図１】本考案の実施の形態に係るスマートフォン用ケースのおもて側から見た斜視図である。
【図２】図１に示すスマートフォン用ケースの裏側から見た斜視図である。
【図３】図１に示すスマートフォン用ケースを左側から見た図である。
【図４】図１に示すスマートフォン用ケースの上側から見た図である。
【図５】図１に示すスマートフォン用ケースを裏面側から見た断面図である。
【考案を実施するための形態】
【００１５】
本考案の実施の形態に係るスマートフォン用ケースを図面に基づいて説明する。
図１から図４に示すように、本実施の形態に係るスマートフォン用ケース１０は、スマートフォン（図示せず）を収容する凹部１１ａがおもて面側１１ｍに形成されたケース本体１１と、ケース本体１１の凹部１１ａとは反対の裏面側１１ｎに設けられる装飾板１２とを備えている。
【００１６】
ケース本体１１は、弾力性を有する熱可塑性ポリウレタン製や、シリコーン製とすることができる。
ケース本体１１は、長方形状の底面Ｓ１と、スマートフォンの周囲面を囲う周壁面Ｓ２とから形成されている。
ケース本体１１の底面Ｓ１には、スマートフォンのカメラレンズ用の貫通孔１１ｂが開設されている。また、ケース本体１１の底面Ｓ１と右側壁面Ｓ２１とによる角度の一部には、カード挿入用の貫通孔１１ｃとが開設されている。
【００１７】
また、底面Ｓ１には、正三角形の辺同士を突き合わせた連続模様が形成された第１領域Ａ１と、非接触式のＩＣカードを収納するために、第１領域Ａ１より一段低くなった（厚みが薄くなった）第２領域Ａ２とが形成されている。
【００１８】
周壁面Ｓ２は、右側壁面Ｓ２１と、上側壁面Ｓ２２と、左側壁面Ｓ２３と、下側壁面Ｓ２４とから形成されている。
ケース本体１１の右側壁面Ｓ２１には、スマートフォンの電源ボタンに対応する位置に、電源操作用ボタン１１ｄが形成されている。
左側壁面Ｓ２３には、スマートフォンの音量ボタンに対応する位置に、音量操作用ボタン１１ｅ，１１ｆが形成されている。
また、左側壁面Ｓ２３には、サイレントボタンと称される着信音・通知音のオン／オフを切り替えるボタンに対応する位置に、音切替用の貫通孔１１ｇが形成されている。
下側壁面Ｓ２４には、スマートフォンの外部接続用のコネクタに対応する位置に貫通孔１１ｈが形成されている。また、下側壁面Ｓ２４には、スマートフォンのスピーカーに対応する位置に貫通孔１１ｊ，１１ｋが形成されている。
【００１９】
この周壁面Ｓ２（右側壁面Ｓ２１，上側壁面Ｓ２２，左側壁面Ｓ２３，下側壁面Ｓ２４）は、外側に膨らむ円弧面に形成されている。
【００２０】
装飾板１２は、皮革シートにより形成され、接着材を介在させてケース本体１１の底面Ｓ１に圧着されている。皮革シートは、例えば、牛革、豚革、鰐革、オーストリッチ革、蛇革、馬革などの天然の素材が使用できる。本実施の形態では、牛革を採用している。
装飾板１２の平坦領域Ａ３を除く周縁部１２ｓは、厚みが徐々に薄くなるように形成されている。そして、装飾板１２の周縁部１２ｓは、ケース本体１１の周壁面Ｓ２の円弧面から連続する傾斜面に形成されている。
【００２１】
このようにスマートフォン用ケース１０が構成されていることで、ケース本体１１のおもて面側１１ｍにスマートフォンを収容する凹部１１ａが形成されているため、凹部１１ａにスマートフォンを収納すると、スマートフォンのタッチスクリーンがおもて面側１１ｍに露出する。従って、ポケットやカバン、袋等から取り出せば、スマートフォンのタッチスクリーンの操作がすぐにできるため、操作性が良好である。
また、使用者がスマートフォンを持って電話するときに、スマートフォンのタッチスクリーン側を耳に当てると、ケース本体１１の裏面側１１ｎが外側を向き、装飾板１２が他の者から見える。装飾板１２が皮革シートにより形成されているため、キャラクタや模様、ブランドのマークなどが表示されたものより、落ち着いた雰囲気を醸成することができる。
従って、スマートフォン用ケース１０は、良好な操作性を維持しつつ、高級感を漂わせることができる。
【００２２】
また、装飾板１２（皮革シート）の周縁部１２ｓは、平坦領域Ａ３から周縁部１２ｓに向けて厚みが徐々に薄くなるように形成され、ケース本体１１の底面Ｓ１と接続しているため、装飾板１２はケース本体１１の底面Ｓ１と段差がなく、手触りも良好である。
更に、ケース本体１１は、スマートフォンの周囲面を囲う周壁面Ｓ２が外側に膨らむ円弧面に形成され、装飾板１２の周縁部１２ｓは、ケース本体１１の周壁面Ｓ２の円弧面から連続する傾斜面に形成されている。そのため、ケース本体１１の周壁面Ｓ２から装飾板１２まで連続した面とすることができるので、意匠性を向上させることができ、スマートフォン用ケース１０を使用者の掌の上に置き持ったときに、周壁面Ｓ２から装飾板１２へ、また、その反対の方向に、滑らかに指を移動することができる。
【００２３】
本実施の形態では、ケース本体１１に、電源操作用ボタン１１ｄ、音量操作用ボタン１１ｅ，１１ｆ、貫通孔１１ｂ，１１ｃ，１１ｇ，１１ｈ，１１ｊ，１１ｋが形成されているが、ボタンや貫通孔はスマートフォンの機種に合わせて任意に形成することができる。
【産業上の利用可能性】
【００２４】
本考案は、様々な機種のスマートフォン用ケースに好適である。
【符号の説明】
【００２５】
１０  スマートフォン用ケース
１１  ケース本体
１１ａ  凹部
１１ｂ，１１ｃ  貫通孔
１１ｄ  電源操作用ボタン
１１ｅ，１１ｆ  音量操作用ボタン
１１ｇ，１１ｈ，１１ｊ，１１ｋ  貫通孔
Ｓ１  底面
Ｓ２  周壁面
Ｓ２１  右側壁面
Ｓ２２  上側壁面
Ｓ２３  左側壁面
Ｓ２４  下側壁面
１１ｍ  おもて面側
１１ｎ  裏面側
１２  装飾板
１２ｓ  周縁部
Ａ１  第１領域
Ａ２  第２領域
Ａ３  平坦領域
【図１】
0003218492.tif 000003
【図２】
0003218492.tif 000004
【図３】
0003218492.tif 000005
【図４】
0003218492.tif 000006
【図５】
0003218492.tif 000007